(57)【要約】      （修正有）【課題】互いに延長配置に形成される一単位コンクリート壁体の連結及び止水が、容易且つ確実になされるプレキャストコンクリート部材による擁壁の提供。【解決手段】互いに平行な細長矩形状のフランジ３と、ウェブ２とによって断面がＨ型をなし、両フランジ間に隔壁５を一体に備え、両端部には最も端部側の隔壁より先端側にウェブがなく先端部のみが突出されフランジ延長片を有する、プレキャストコンクリート部材１を、そのフランジ３の幅方向を上下方向に複数重ねて連結し固定した該部材1の長さを１単位として単位コンクリート壁体Ａを形成し、該単位コンクリート壁体Ａがその水平長さ方向に連続させて複数並べて設置され、隣り合う前記単位コンクリート壁体Ａの端部間に形成された前記フランジ延長片及び最先端部の隔壁フランジによって囲まれた上下に連通開口した連結部空間内に、セメント系固化材による場所打ちによる固化柱体２５を形成する。【選択図】図２
2011099251.tif 000002
【特許請求の範囲】
【請求項１】
水平方向に長い多数のプレキャストコンクリート部材を上下に重ね合わせて連結したコンクリート壁体を使用したプレキャストコンクリート部材による擁壁において、
前記プレキャストコンクリート部材は、互いに平行な細長矩形状のフランジと、該フランジ間に一体に備えたウェブとによって断面がＨ型をなすとともに、前記両フランジ間に隔壁を一体に備えた細長に形成され、かつ、両端部には、最も端部側の隔壁より先端側にウェブがなく、両フランジの先端部のみが突出されフランジ延長片を有し、該プレキャストコンクリート部材を、そのフランジの幅方向を上下方向に向けて上下に複数重ねた状態で連結して互いに固定することによって前記プレキャストコンクリート部材長さを１単位とする単位コンクリート壁体が形成され、該単位コンクリート壁体がその水平長さ方向に互いに連続させた配置に複数並べて設置され、互いに隣り合う前記単位コンクリート壁体の端部間に形成された前記フランジ延長片及び最先端部の隔壁フランジによって囲まれた上下に連通開口した連結部空間内に、セメント系固化材により固化された場所打ちによる固化柱体が形成され、該固化柱体によって隣り合う単位長さコンクリート壁体間が連結されていることを特徴としてなるプレキャストコンクリート部材による擁壁。
【請求項２】
上下に重ねられたプレキャスト部材間を、該プレキャスト部材のフランジの肉厚内に上下に連続した配置に形成した緊張材挿通孔に、該上下のプレキャスト部材に跨らせて挿通したＰＣ緊張材を緊張することによって連結した請求項１に記載のプレキャストコンクリート部材による擁壁。
【発明の詳細な説明】
【技術分野】
【０００１】
本発明は、例えば地表面を掘削して地下空間を形成する際に、縦向きの地山面の崩落を防止するための擁壁であって、予め地表より擁壁構築空間を掘削形成し、その空間内にプレキャスト部材によって構築される擁壁に関する。
【背景技術】
【０００２】
一般に、地中に擁壁を形成し、然る後その擁壁に縦向きの地山面を保護させた状態で地下空間を形成する際のプレキャストコンクリート部材による擁壁としては、プレキャストコンクリート製のＨ型ＰＣ杭を互いに並べて地中に掘削圧入するとともに、隣り合うＨ型ＰＣ杭のフランジ間にコンクリートを打設することによって該Ｈ型ＰＣ杭間を一体化させた地中壁を構築し、然る後擁壁の前面側を掘削して空間を形成し、該擁壁に立て向きの地山面を保護させるようにしたものがある（例えば特許文献１）。
【０００３】
また縦方向に打ち込んで形成した上記Ｈ型ＰＣ杭間に跨らせて水平方向にＰＣ緊張材を挿通し、これを緊張することによって矢板間の一体化を強固にしたものがある（例えば特許文献２）。
【０００４】
更に、水平方向に長いプレキャストコンクリート部材を上下に重ねて地中に落とし込むことによって地中壁を構築し、これを擁壁として地下空間を形成するものがある（特許文献３）。
【先行技術文献】
【特許文献】
【０００５】
【特許文献１】特許第３８９６３５１号公報
【特許文献２】特開２００６−１１２０４５号公報
【特許文献３】特公平４−３２１７２号公報
【発明の開示】
【発明が解決しようとする課題】
【０００６】
上述したＨ型のプレキャストコンクリート部材を立て向きに打ち込む方式のものは、縦方向にプレストレスを付与しておくことによって、１０ｍ以上もの長尺な部材を使用でき、曲げ耐力も大きくできる。
【０００７】
しかし、高架道路下等、地上に障害物があって長尺プレキャストコンクリート部材を立て込むための空間がない場合には、施工が困難であるという問題があった。
【０００８】
また、上記特許文献３に示されている従来の工法においては、横長のプレキャストコンクリート部材を使用するものではあるが、地下構造物の地下壁として使用することを目的してしおり、例えば道路の立体交差やスルーパスのための通路や水路の擁壁として使用するものではなく、また、使用しているプレキャストコンクリート部材は、前後の壁板の間を立て向きの隔壁によって仕切り、上下が開口した縦向きの空間を形成しているものであり、これを上下に重ね、それらに跨らせて形成した鉄筋埋設孔に鉄筋を挿入してセメント系充填材により埋めることによって上下のプレキャストコンクリート部材間を連結して地下壁を構成させているものであり、曲げ耐力を大きくするためには、前後の壁板厚を大きくし、且つ壁板間の間隔を大きくする必要があった。
【０００９】
本発明は、このような従来の問題に鑑み、高架道路下等のように地上の工事用空間の高さが低く狭隘な場合であっても容易に施工でき、しかも、水平方向の土圧に対する大きな耐力が、従来に比べて薄い肉厚にて構成することができるとともに、互いに延長配置に形成される一単位コンクリート壁体の連結及び止水が、容易且つ確実になされるプレキャストコンクリート部材による擁壁の提供を目的としてなされたものである。
【課題を解決するための手段】
【００１０】
上述の如き従来の問題を解決し、所期の目的を達成するための請求項１に記載の発明の特徴は、水平方向に長い多数のプレキャストコンクリート部材を上下に重ね合わせて連結したコンクリート壁体を使用したプレキャストコンクリート部材による擁壁において、前記プレキャストコンクリート部材は、互いに平行な細長矩形状のフランジと、該フランジ間に一体に備えたウェブとによって断面がＨ型をなすとともに、前記両フランジ間に隔壁を一体に備えた細長に形成され、かつ、両端部には、最も端部側の隔壁より先端側にウェブがなく、両フランジの先端部のみが突出されフランジ延長片を有し、該プレキャストコンクリート部材を、そのフランジの幅方向を上下方向に向けて上下に複数重ねた状態で連結して互いに固定することによって前記プレキャストコンクリート部材長さを１単位とする単位コンクリート壁体が形成され、該単位コンクリート壁体がその水平長さ方向に互いに連続させた配置に複数並べて設置され、互いに隣り合う前記単位コンクリート壁体の端部間に形成された前記フランジ延長片及び最先端部の隔壁フランジによって囲まれた上下に連通開口した連結部空間内に、セメント系固化材により固化された場所打ちによる固化柱体が形成され、該固化柱体によって隣り合う単位長さコンクリート壁体間が連結されていることにある。
【００１１】
請求項２に記載の発明の特徴は、請求項１の構成に加え、上下に重ねられたプレキャスト部材間を、該プレキャスト部材のフランジの肉厚内に上下に連続した配置に形成した緊張材挿通孔に、該上下のプレキャスト部材に跨らせて挿通したＰＣ緊張材を緊張することによって連結したことにある。
【発明の効果】
【００１２】
本発明は、水平方向に長い多数のプレキャストコンクリート部材を上下に重ね合わせて連結したコンクリート壁体を使用したプレキャストコンクリート部材による擁壁において、水平方向に長いプレキャストコンクリート部材として、互いに平行な細長矩形状のフランジと、該フランジ間に一体に備えたウェブとによって断面がＨ型をなすとともに、前記両フランジ間に隔壁を一体に備えた細長に形成され、かつ、両端部には、最も端部側の隔壁より先端側にウェブがなく、両フランジの先端部のみが突出されフランジ延長片を有し、  該プレキャストコンクリート部材を、そのフランジの幅方向を上下方向に向けて上下に複数重ねた状態で連結して互いに固定することによって前記プレキャストコンクリート部材長さを１単位とする単位コンクリート壁体を構成させ、互いに隣り合う単位コンクリート壁体の端部間に形成された前記フランジ延長片及び最先端部の隔壁フランジによって囲まれた上下に連通開口した連結部空間内に、セメント系固化材により固化された場所打ちに固化柱体が形成され、該固化柱体によって隣り合う単位長さコンクリート壁体間を連結したことによって、単位コンクリート壁体間の止水が確実なものとなるとともに、単位コンクリート壁体間の一体化が容易になされる。
【図面の簡単な説明】
【００１３】
【図１】本発明に係る擁壁の実施の一例を示す縦断側面図。
【図２】同縦断正面図である。
【図３】図１に示す擁壁に使用しているプレキャストコンクリート部材の側面図である。
【図４】図３中のＡ−Ａ線断面図である。
【図５】図１に示す擁壁に使用しているプレキャストコンクリート部材の正面図である。
【図６】同平面図である。
【図７】図１に示す擁壁に使用しているプレキャストコンクリート部材間のＰＣ緊張材による連結状態を示す縦断面図である。
【図８】図１に示す擁壁に使用しているプレキャストコンクリート部材間の鉄筋による補強状態を示す縦断面図である。
【図９】本発明に係る本発明に係るプレキャストコンクリート部材を使用した一擁壁の構築する際の地中溝形成状態をしめすもので、（ａ）縦断側面図、（ｂ）は縦断側面図である。
【図１０】同上の地中溝内にコンクリート部材を連結して沈下させる状態を示す縦断側面図である。
【図１１】一単位長さコンクリート壁体間の柱体の根入れ部を形成するためのボーリング状態を示す縦断正面図である。
【図１２】同上の根入れ穴形成状態を示す縦断正面図である。
【発明を実施するための最良の形態】
【００１４】
次に本発明の実施の形態を図に示した実施例に基づいて説明する。図１は本発明に係る擁壁の縦断側面図であり、図２は同縦断正面図である。この擁壁は、図３〜図６に示すプレキャストコンクリート部材１を水平方向に寝かせた状態で上下に多数連結することによって構成された一単位長さコンクリート壁体Ａ，Ａを長さ方向に連続して構築することによって構成されている。
【００１５】
プレキャストコンクリート部材１は、細長平板状をした水平配置のウェブ２の両縁に矩形状なし、幅方向側を上下に向けた一対のフランジ３，３を一体に有する断面がＨ型をしており、上下面にフランジ３，３とウェブ２によって構成される溝状凹部４，４を有する形状となっている。この溝状凹部４，４内は、両フランジ３，３及びウェブ２に３辺が一体化された複数の隔壁５，５......によって仕切られている。
【００１６】
このプレキャストコンクリート部材１の両端は、最も端部側の隔壁５ａより先端側には、ウェブ２がなく、両フランジの先端部のみが突出されフランジ延長片３ａ，３ａを有し、この両フランジ延長片３ａ，３ａと前記隔壁５ａとによって上下に向けた凹溝６，６が形成されている。
【００１７】
また、ウェブ２には、隔壁５，５又は５ａ間の位置にあって、上下に貫通した窓穴７，７......が開口されている。
【００１８】
このプレキャストコンクリート部材１のフランジ３，３には、隔壁５と交差する位置の肉厚内に上下に向けてＰＣ緊張材挿通孔１０が形成されている。このＰＣ緊張材挿通孔１０の下端部には、図７に示すようにカプラー収容用拡径部１１が形成されているとともに、上端部にはＰＣ緊張材１２を緊張状態で定着するための支圧板１３が埋設されている。
【００１９】
また、一方側のフランジ３には、その全域に亘って、該フランジ３の幅方向、即ち上下方向に向けた鉄筋埋設用貫通孔１４，１４......が所定の間隔を隔てて貫通開口されている。
【００２０】
一単位長さコンクリート壁体Ａは、図１、図２に示すように複数のプレキャストコンクリート部材１，１......をそのフランジ３の幅方向を上下に向けて積み重ね、図７に示すように、互いに隣り合うプレキャストコンクリート部材１，１毎にＰＣ緊張材１２を使用し、これを緊張することによって連結している。
【００２１】
緊張に際しては、図７に示すように、先に定着金具１５によって緊張状態で定着したＰＣ緊張材１２の上端にカプラー１６を介して次のＰＣ緊張材１２を連結し、その上端を次のプレキャストコンクリート部材１の上面に同様にして定着する操作を繰り返して順次上側のプレキャストコンクリート部材１を下側のものに連結する。
【００２２】
各プレキャストコンクリート部材１の一方のフランジ３に形成されている鉄筋埋設用貫通孔１４，１４......は、図８に示すように、上下のフランジ間において互いに連続した貫通孔となり、その内部に連続した鉄筋２０が挿入され、高強度高流動モルタル等のセメント系充填材２１によって埋められている。
【００２３】
この鉄筋２０の本数は、一単位長さコンクリート壁体Ａに対して背面の土圧が作用した際に生じる曲げモーメントを予想して設計されており、曲げモーメント分布に対応できるように、例えば、擁壁背面側のフランジ内に、下側に多く、上側に至るに従って少なくなるように分布させたり、擁壁表面側のフランジ内に多く分布させたりして設置する。
【００２４】
また、図２に示すように、プレキャストコンクリート部材１の長さを単位とした一単位長さコンクリート壁体Ａは、その両側面に、各プレキャストコンクリート部材１の両端の縦向きの凹溝６が、上下に連続した配置に並べられ、一単位長さコンクリート壁体Ａの両側面にその上下に亘って連続した凹溝が形成され、互いに隣り合う一単位長さコンクリート壁体Ａ，Ａの突合せ部分に、両凹溝６，６によって上下に連続した中空筒部２４が形成されており、その内部には泥土にセメントミルクを混合させた場所内のソイルセメントや場所打ちのコンクリート等のセメント系固化材により固化された場所打ちに固化柱体２５が形成されている。この固化柱体２５によって一単位長さコンクリート壁体Ａ，Ａ間が連結されている。
【００２５】
次に上述した擁壁の構築に際しては、先ず、図９（ａ）（ｂ）に示すように地表面より一単位長さコンクリート壁体Ａが地中に形成できる幅、深さ及び長さの地中溝３０を掘削形成する。この地中溝の形成は下端に一対のカッター３１を取り付け、その中間より下向きに水を噴射させるジェットノズル３２を取り付けた掘削攪拌機３３を使用し、この掘削攪拌機３３上下に移動させつつ地盤を砕き土砂と水を混合させることによって泥土３４が充填された地中溝３０を形成する方法が使用できる。この他、バックホーや溝掘削用のグラブバケットを使用し、掘削された溝内に安定液を充填させた状態で地中溝３０を形成する方法であっても良い。
【００２６】
次いで、図１０に示すように地中溝３０内にその開口部上にて、上下に隣り合うプレキャストコンクリート部材１，１を上下に連結させ、１の連結完了毎に、プレキャストコンクリート部材１の高さ分（フランジ幅分）ずつ地中溝３０内に沈める。この時地中溝３０内の泥土３４は、プレキャストコンクリート部材１の窓穴７よりウェブの上側に移動するため、プレキャストコンクリート部材１の自重もしくは圧入によって沈降される。
【００２７】
尚、このプレキャストコンクリート部材１の搬入及び沈降は、一例として、地中溝３０を跨いで設置した門形クレーンを使用することができる。
【００２８】
このようにして、長さ方向に互いに隣り合う一単位長さコンクリート壁体Ａ，Ａを地中溝３０内に沈めた状態で組み立てた後、両一単位長さコンクリート壁体Ａ，Ａの対向側縁に互いに向き合う配置にある凹溝６，６に囲まれた角筒状の空間に、図１１に示すようにボーリングマシンのケーシング４０を挿入し、一単位長さコンクリート壁体Ａ，Ａ下の地盤にパイロット孔４２を形成する。
【００２９】
然る後、図１２に示すように下端周囲にジェットノズル開口させた縦軸４３を前記パイロット孔４２内に挿入し、ノズルよりジェット水４４を噴射させつつ回転及び上下動させて根入れ穴４５を形成し、然る後、同ノズルよりセメントミルクを注入し、根入れ穴４５内に泥土にセメントを混合させたソイルセメントによる根入れ杭部４６を形成する。
【００３０】
この根入れ杭部４６に連続させて凹溝６，６による中空筒部２４内にセメントミルクを注入し、根入れ杭部４６に連続させた固化柱体２５を形成する。
【００３１】
尚、この固化柱体２５及び根入れ杭部４６は、ジェット水によって形成された根入れ穴４５及び中空筒部２４内にトレミー管（図示せず）を挿入してコンクリートを打設することによってコンクリート根入れ杭部及びこれに連続させたコンクリート柱を形成しても良い。
【００３２】
このようにして一単位長さコンクリート壁体Ａ，Ａを必要な長さに連続させて構築した後、全面側の地盤を掘削することにより縦向きの地山面をコンクリート壁体によって土留した状態の所望の地下空間を形成する。
【００３３】
この地下空間形成後、必要に応じ、図１に示すように地中アンカーによって一単位長さコンクリート壁体Ａを倒れ止めさせてもよい。この場合の地中アンカーは、予めプレキャストコンクリート部材１のウェブ２と隔壁５とが交差する部分にアンカー挿通孔５０を形成しておき、このアンカー挿通孔５０内に鋼棒や鋼より線等の引張材５１を挿通し、その先端を土中のアンカーコンクリート５２内に埋め込んで土中に固定し、他端をプレキャストコンクリート部材１の表面側にて緊張定着する。
【００３４】
このようにウェブ２と隔壁５とが交差する部分にアンカー挿通孔５０を形成し、該交差位置にて定着させることによって、定着部分の応力が上下左右に効果的に分散されることとなり、耐力の大きい擁壁となる。
【符号の説明】
【００３５】
Ａ  一単位長さコンクリート壁体
１  プレキャストコンクリート部材
２  ウェブ
３  フランジ
３ａ  フランジ延長片
４  溝状凹部
５  隔壁
５ａ  端部側の隔壁
６  凹溝
７  窓穴
１０  ＰＣ緊張材挿通孔
１１  カプラー収容用拡径部
１２  ＰＣ緊張材
１３  支圧板
１４  鉄筋埋設用貫通孔
１５  定着金具
１６  カプラー
２０  鉄筋
２１  セメント系充填材
２３  頂板
２４  中空筒部
２５  固化柱体
３０  地中溝
３１  カッター
３２  ジェットノズル
３３  掘削攪拌機
３４  泥土
４０  ケーシング
４２  パイロット孔
４３  縦軸
４４  ジェット水
４５  根入れ穴
４６  根入れ杭部
５０  アンカー挿通孔
５１  引張材
５２  アンカーコンクリート
【図１】
2011099251.tif 000003
【図２】
2011099251.tif 000004
【図３】
2011099251.tif 000005
【図４】
2011099251.tif 000006
【図５】
2011099251.tif 000007
【図６】
2011099251.tif 000008
【図７】
2011099251.tif 000009
【図８】
2011099251.tif 000010
【図９】
2011099251.tif 000011
【図１０】
2011099251.tif 000012
【図１１】
2011099251.tif 000013
【図１２】
2011099251.tif 000014